(57)【要約】      （修正有）【課題】敷居溝の底部と、エレベータードアの下端との間隔が変化したときでも、敷居溝の底部に堆積した異物を除去できるエレベータードアのドアシューを提供する。【解決手段】ドアシュー３０は、上吊構造のエレベータードアであるかごドアの下端部に取り付けられ、かごドアの開閉に伴って敷居溝をスライド移動する。ドアシュー３０は、敷居溝に挿入されるシュー本体と、敷居溝の底部と対向するシュー本体の底面３１ｅに設けられた底面ブラシ３３とを備える。そして、シュー本体は、かごドアに対して上下方向に移動可能に取り付けられている。【選択図】図３
2018002375.tif 000002
【特許請求の範囲】
【請求項１】
上吊構造のエレベータードアの下端部に取り付けられ、前記エレベータードアの開閉に伴って敷居溝をスライド移動するドアシューであって、
前記敷居溝に挿入されるシュー本体と、
前記敷居溝の底部と対向する前記シュー本体の底面に設けられたブラシ状部材と、
を備え、
前記シュー本体は、前記エレベータードアに対して上下方向に移動可能に取り付けられている、エレベータードアのドアシュー。
【請求項２】
前記シュー本体を前記エレベータードアに取り付けるための支持部を備え、
前記支持部は、前記エレベータードアに固定される固定プレートと、前記固定プレートに対して上下方向にスライド移動可能に支持され、前記シュー本体に接続された可動プレートとを有する、請求項１に記載のエレベータードアのドアシュー。
【請求項３】
前記敷居溝の側壁と対向する前記シュー本体の各側面には、側面ブラシがそれぞれ設けられている、請求項１又は２に記載のエレベータードアのドアシュー。
【請求項４】
前記エレベータードアのスライド方向に沿う第１方向に向いた前記シュー本体の前面及び後面は、前記第１方向及び上下方向に直交する第２方向の中央部が内側に凹んで湾曲している、請求項１〜３のいずれか１項に記載のエレベータードアのドアシュー。
【発明の詳細な説明】
【技術分野】
【０００１】
本発明は、エレベータードアのドアシューに関する。
【背景技術】
【０００２】
エレベーターの乗降口を構成する乗りかごの開口部と乗場の開口部を開閉するエレベータードアは、上吊り構造であり、ドアの下端部にはドアシューが取り付けられている。ドアシューは、エレベータードアの開閉に伴って乗降口に設けられた敷居溝に沿ってスライド移動することでドアの開閉時の揺れを低減する機能を有する。また、ドアシューには、敷居溝に入り込んだ小石や砂等の異物を除去してドアの開閉異常を防止する機能が求められる場合がある。
【０００３】
例えば、特許文献１には、スライド方向の前後両端面を底面に対して傾斜させることにより、敷居溝に入り込んだ異物を当該傾斜面ですくい上げて取り除くようにしたエレベータードアのドアシューが開示されている。また、特許文献２には、かごドアの下部に設けられ、毛先が少なくとも敷居溝の底部に接触するブラシを備えた敷居異物除去装置が開示されている。
【先行技術文献】
【特許文献】
【０００４】
【特許文献１】特開平９−３０１６５９号公報
【特許文献２】特開平９−３０１６６１号公報
【発明の概要】
【発明が解決しようとする課題】
【０００５】
ところで、敷居溝の底部とエレベータードアの下端との間隔は、一般的にエレベーターの使用状況に応じて変化するため、敷居溝の底部とドアシューの底面との間隔も変化する。同様に、敷居溝の底部とかごドアに取り付けられたブラシの先端との間隔も変化する。特に、乗りかごの床下に防振ゴムが設置される場合は、乗客数等に応じて敷居溝の底部とエレベータードアの下端との間隔が大きく変化する。このため、上記特許文献に開示されるような従来の技術では、敷居溝の底部に堆積した異物を除去できない場合がある。
【０００６】
本発明の目的は、敷居溝の底部とエレベータードアーの下端との間隔が変化したときでも敷居溝の底部に堆積した異物を除去できるエレベータードアのドアシューを提供することである。
【課題を解決するための手段】
【０００７】
本発明に係るエレベータードアのドアシューは、上吊構造のエレベータードアの下端部に取り付けられ、前記エレベータードアの開閉に伴って敷居溝をスライド移動するドアシューであって、前記敷居溝に挿入されるシュー本体と、前記敷居溝の底部と対向する前記シュー本体の底面に設けられたブラシ状部材とを備え、前記シュー本体は、前記エレベータードアに対して上下方向に移動可能に取り付けられていることを特徴とする。
【０００８】
本発明に係るエレベータードアのドアシューにおいて、前記シュー本体を前記エレベータードアに取り付けるための支持部を備え、前記支持部は、前記エレベータードアに固定される固定プレートと、前記固定プレートに対して上下方向にスライド移動可能に支持され、前記シュー本体に接続された可動プレートとを有することが好適である。また、前記敷居溝の側壁と対向する前記シュー本体の各側面には、側面ブラシがそれぞれ設けられることが好ましい。さらに、前記エレベータードアのスライド方向に沿う第１方向に向いた前記シュー本体の前面及び後面は、前記第１方向及び上下方向に直交する第２方向の中央部が内側に凹んで湾曲していることが好ましい。
【発明の効果】
【０００９】
本発明に係るドアシューによれば、シュー本体がエレベータードアに対して上下方向に移動可能に取り付けられているため、敷居溝の底部とエレベータードアの下端との間隔が変化したときでも敷居溝の底部に堆積した異物を除去することができる。つまり、シュー本体の底面に設けられたブラシ状部材が敷居溝の底部に常時接触した状態となる。このため、例えば、防振ゴムが圧縮されて敷居溝の底部とエレベータードアの下端との間隔が大きくなったときでも、ブラシ状部材が敷居溝の底部に接触して、敷居溝の底部に堆積した異物を除去することができる。
【００１０】
また、シュー本体の各側面に側面ブラシを設けた構成とすれば、敷居溝に嵌り込んだ異物にドアシューが衝突したときにシュー本体が敷居溝の側壁に接触することで生じ得る、ドアの開閉が困難になる、異音が発生するといった不具合が防止される。
【図面の簡単な説明】
【００１１】
【図１】実施形態の一例である乗りかごを示す図である。
【図２】実施形態の一例であるドアシュー及びその近傍を示す図である。
【図３】実施形態の一例であるドアシューの斜視図である。
【図４】実施形態の他の一例であるドアシューの斜視図である。
【図５】実施形態の他の一例であるドアシューの斜視図である。
【発明を実施するための形態】
【００１２】
以下、実施形態の一例について詳細に説明する。実施形態の説明で参照する図面は模式的に記載されたものであるから、実施形態の各構成要素の寸法等は以下の説明を参酌して判断されるべきである。また、実施形態の各構成要素を適宜組み合わせて他の実施形態を構築することは当初から想定されている。
【００１３】
以下で説明する実施形態では、乗りかご１１に設置されたかごドア１２のドアシュー３０を例示するが、本発明に係るドアシューは、乗場ドアに適用することもできる。また、本発明に係るドアシューは、センターオープン型のエレベータードア（かごドア・乗場ドア）に限定されず、サイドオープン型のエレベータードアに適用されてもよい。
【００１４】
本明細書において、ドアシューの第１方向とは、エレベータードアがスライド移動するスライド方向に沿った方向を意味するが、以下では、縦方向とし、また縦方向及び上下方向に直交する第２方向を横方向とする。なお、縦方向に向いたドアシューの側面のうち、ドアが閉じられるときにドアの進行方向に向いた側面が前面、進行方向と反対側に向いた側面が後面である。
【００１５】
図１は、実施形態の一例であるエレベーター１０の乗りかご１１を乗場側から見た図である。図１に例示するように、エレベーター１０は、昇降路内において各階床に設置された乗場間を昇降する乗りかご１１を備える。乗りかご１１は、利用者が乗り込むことのできる室内スペースを有し、例えば、巻上げ機の駆動により昇降路内を昇降する。乗りかご１１の乗場と対向する側壁には、乗降口を構成する開口部（図示せず）が形成されている。そして、乗りかご１１には、当該開口部を開閉する２枚のかごドア１２が設置されている。なお、乗降口とは、乗りかご１１が乗場に停止しているときに、乗りかご１１と乗場との間に形成される乗りかご１１の出入口である。
【００１６】
かごドア１２は、センターオープン型の上吊構造の扉である。かごドア１２の上端部にはハンガープレート１３が、下端部にはドアシュー３０がそれぞれ取り付けられている。かごドア１２は、ハンガープレート１３のハンガーローラー１４によってドアレール１５に吊り下げられると共に、ドアシュー３０が敷居１６に形成された敷居溝１７に嵌ることで、安定したスライド移動が可能である。開口部が形成された乗りかご１１の側壁において、ドアレール１５は開口部より上方に、敷居１６は開口部より下方に、それぞれ設置されている。
【００１７】
かごドア１２は、開閉装置２０によって開閉される。開閉装置２０は、モーター２１、プーリー２２、及びアーム２３を有し、乗りかご１１の上部に設けられている。かごドア１２は、モーター２１の駆動力がプーリー２２とアーム２３を介してハンガープレート１３に取り付けられた連結バー２４に伝達されることで開閉される。かごドア１２には、乗場の開口部を開閉する乗場ドアと係合するベーン２５が設置されており、乗場ドアはかごドア１２と連動する。
【００１８】
かごドア１２は、ドアレール１５及び敷居１６に沿ってスライド移動する。ドアレール１５と敷居１６はいずれも、水平方向に沿って互いに平行に配置される長尺状部材である。敷居１６は、一般的に天面が開口部の下端と同じ高さとなるように設けられる。敷居１６に形成される敷居溝１７は、ドアシュー３０をガイドするための溝である。本実施形態では、１つの敷居溝１７が敷居１６の全長にわたって真っ直ぐに形成されている。
【００１９】
敷居溝１７の底部１７ｂには、敷居溝１７に入り込んだ小石や砂等の異物を昇降路に落下させるための貫通孔１８が複数形成されている。貫通孔１８は、敷居溝１７の長手方向中央部と長手方向両端部にそれぞれ形成されることが好ましい。例えば、かごドア１２が閉じられた状態と全開状態でドアシュー３０と上下方向に重なる位置に貫通孔１８が形成される。
【００２０】
ドアシュー３０は、２枚のかごドア１２の下端部において、縦方向両端部にそれぞれ取り付けられている。各ドアシュー３０は、敷居溝１７に挿入され、かごドア１２の開閉に伴って敷居溝１７内を移動することで、かごドア１２の開閉時の揺れを低減する。また、ドアシュー３０は、例えば、敷居溝１７に入り込んだ異物を貫通孔１８が形成された位置まで運び、敷居溝１７から除去する。
【００２１】
乗りかご１１の床下には、防振ゴム（図示せず）が設けられることが好ましい。防振ゴムが設置される場合、例えば、乗客数が多くなると、防振ゴムが大きく圧縮されて敷居１６の位置が下がる。即ち、乗客数に応じて、敷居溝１７の底部１７ｂとかごドア１２の下端との間隔が変化する。
【００２２】
以下、図２及び図３をさらに参照しながら、実施形態の一例であるドアシュー３０について詳説する。図２はドアシュー３０及びその近傍を示す図、図３はドアシュー３０の斜視図である。
【００２３】
図２及び図３に示すように、ドアシュー３０は、敷居溝１７に挿入されるシュー本体３１と、敷居溝１７の底部１７ｂと対向するシュー本体３１の底面３１ｅに設けられた底面ブラシ３３とを備える。ドアシュー３０は、さらに、シュー本体３１をかごドア１２に取り付けるための支持板３２を備える。支持板３２は、シュー本体３１の天面３１ｄから上方に突出した板状の支持部である。詳しくは後述するが、シュー本体３１は、かごドア１２に対して上下方向に移動可能に取り付けられており、底面ブラシ３３が常に敷居溝１７の底部１７ｂに接触する。
【００２４】
シュー本体３１は、支持板３２よりも縦方向及び横方向に長いブロック状の部材である。シュー本体３１は、一般的にゴム製の部材であるが、敷居溝１７に入り込んだ異物と接触し得る前面３１ｂと後面３１ｃを金属製の材料で構成してもよい。図２に示す例では、シュー本体３１の全体と、支持板３２の一部が敷居溝１７に挿入されている。なお、ドアシューの形状は図２及び図３に例示する形状に限定されず、例えば、支持板がシュー本体よりも縦方向に長く延びた形状であってもよい。
【００２５】
シュー本体３１は、支持板３２を介してかごドア１２に固定され、敷居溝１７の底部１７ｂに接触しない状態で敷居溝１７内に配置される。シュー本体３１は、横方向より縦方向に長く、縦方向に沿って一定の横方向長さ（幅）を有する。シュー本体３１の幅は、敷居溝１７の幅よりも小さく、シュー本体３１の側面３１ａと敷居溝１７の側壁１７ａとの間には所定の隙間が形成される。所定の隙間は、シュー本体３１の横方向両側で略同一であることが好ましく、シュー本体３１の横方向中央は敷居溝１７の幅方向中央に位置する。
【００２６】
シュー本体３１の前面３１ｂ及び後面３１ｃは、底面３１ｅに対して鋭角に傾斜している。換言すると、前面３１ｂと後面３１ｃは、天面３１ｄに対して鈍角に傾き、斜め上方を向いている。図３に示す例では、前面３１ｂと後面３１ｃがいずれも平坦に形成されている。側面３１ａは、上底が下底よりも長い台形形状を有する。敷居溝１７に入り込んだ異物は、例えば、前面３１ｂ又は後面３１ｃに押されるが、前面３１ｂと後面３１ｃをこのように傾斜させることで、異物をすくい上げて敷居溝１７から除去し易くなる。或いは、異物が敷居溝１７に強く嵌り込んでいる場合であっても、異物をすくい上げて動かし、貫通孔１８から落下させることができる。
【００２７】
シュー本体３１の底面３１ｅに設けられた底面ブラシ３３は、シュー本体３１の底面３１ｅから下方に突出したブラシ状部材であって、ブラシの先端は敷居溝１７の底部１７ｂに接触している。シュー本体３１は、上述の通り、かごドア１２に対して上下方向に移動可能に取り付けられている。このため、例えば、乗りかご１１の床下に設置された防振ゴムが圧縮されて敷居溝１７の底部１７ｂとかごドア１２の下端との間隔が大きくなったときでも、底面ブラシ３３は敷居溝１７の底部１７ｂに接触する。敷居溝１７の底部１７ｂに堆積した異物は、底面ブラシ３３によって貫通孔１８が形成された位置まで運ばれ、貫通孔１８から除去される。
【００２８】
底面ブラシ３３は、シュー本体３１の底面３１ｅにおいて、縦方向両端部にそれぞれ設けられている。また、底面ブラシ３３は、横方向に細長い形状を有し、シュー本体３１の全幅にわたって設けられている。底面ブラシ３３は、例えば、底面３１ｅに毛材を取り付けて構成される。本実施形態では、互いに同じ形状、寸法を有する２つの底面ブラシ３３が底面３１ｅの縦方向両端部に１つずつ設けられている。なお、底面ブラシ３３は、シュー本体３１に対して着脱自在に設けられてもよく、底面３１ｅの全体に設けられてもよい。
【００２９】
シュー本体３１は、支持板３２の機能により、かごドア１２に対して上下方向に移動可能に取り付けられることが好ましい。支持板３２は、かごドア１２に固定される固定プレート３５と、固定プレート３５に対して上下方向にスライド移動可能に支持され、シュー本体３１に接続された可動プレート３６とを有する。固定プレート３５は、例えば、ボルト（図示せず）を用いてかごドア１２に固定される。固定プレート３５の上部には、ボルトが挿し込まれる貫通孔３５ａが２つ形成されている。
【００３０】
固定プレート３５と可動プレート３６は、横方向に重なって設けられている。固定プレート３５の下部には、可動プレート３６側に突出した２つの支持ピン３７が設けられる。支持ピン３７は、例えば、一端部にネジが形成されており、固定プレート３５の下部に形成されたネジ孔に取り付けられる。支持ピン３７は、後述の長孔３８に挿通される軸部３７ａと、他端部に形成されたフランジ部３７ｂとを有する。フランジ部３７ｂは、軸部３７ａよりも太くなった部分であって、長孔３８の周縁に引っ掛かって可動プレート３６を保持する。
【００３１】
可動プレート３６は、シュー本体３１の天面３１ｄに接続され、支持ピン３７の軸部３７ａが挿通される長孔３８を有する。長孔３８は、上下方向に長く延びた貫通孔であって、長孔３８の上下方向長さによってシュー本体３１の上下方向に対する移動量を調整することができる。例えば、長孔３８の上下方向長さを長くするほど、シュー本体３１の上下方向の移動量を増やすことができる。長孔３８の幅は支持ピン３７の軸部３７ａよりも大きく、長孔３８に挿通された軸部３７ａは長孔３８に沿って上下方向に移動可能である。
【００３２】
本実施形態では、かごドア１２に固定された固定プレート３５に可動プレート３６を重ね合わせ、可動プレート３６の長孔３８に支持ピン３７の軸部３７ａを通して固定プレート３５のネジ孔に固定することで支持板３２が構成される。固定プレート３５は、支持ピン３７のフランジ部３７ｂと固定プレート３５に挟まれた状態で保持され、固定プレート３５に対して上下方向に移動可能に取り付けられる。シュー本体３１は、例えば、敷居１６の位置が下がった場合に、シュー本体３１の自重によって下方に移動する。
【００３３】
ドアシュー３０は、さらに、敷居溝１７の側壁１７ａと対向するシュー本体３１の各側面３１ａにそれぞれ設けられた側面ブラシ３４を備える。側面ブラシ３４は、シュー本体３１の各側面３１ａから横方向両側に突出したブラシ状部材であって、その突出長さは横方向両側で互いに略同一であることが好ましい。側面ブラシ３４が設けられた部分のドアシュー３０の幅は、例えば、敷居溝１７の幅と略同一である。この場合、側面ブラシ３４が敷居溝１７の側壁１７ａに常時接触した状態となり、側壁１７ａに付着した汚れを除去することができる。
【００３４】
ドアシュー３０が敷居溝１７に強く嵌り込んだ小石等の異物に衝突すると、その衝撃力で横方向一方側にズレるような力が作用することがあるが、このような場合でも側面ブラシ３４によってドアシュー３０のセンターが敷居溝１７のセンターに維持される。また、小石等との衝突によりシュー本体３１の側面３１ａが敷居溝１７の側壁１７ａに接近したとしても、側面ブラシ３４によって側壁１７ａに対する側面３１ａの接触が抑制され、かごドア１２の開閉が困難になる、異音が発生するといった不具合が防止される。
【００３５】
側面ブラシ３４は、シュー本体３１の各側面３１ａにおいて、縦方向両端部にそれぞれ設けられている。また、側面ブラシ３４は、上下方向に細長い形状を有し、側面３１ａの上端から下端近傍にわたって設けられている。側面ブラシ３４は、側面３１ａの全体に設けることもできるが、側壁１７ａとの摩擦力を低減するために、側面３１ａの一部に設けることが好適である。本実施形態では、互いに同じ形状、寸法を有する４つの側面ブラシ３４が各側面３１ａの縦方向両端部に１つずつ設けられている。なお、側面ブラシ３４は、シュー本体３１に対して着脱自在に設けられてもよい。
【００３６】
上記構成を備えたドアシュー３０によれば、シュー本体３１の底面３１ｅに設けられた底面ブラシ３３が敷居溝１７の底部１７ｂに常時接触した状態となる。このため、例えば、乗りかご１２の床下に設置される防振ゴムが圧縮されて敷居溝１７の底部１７ｂとかごドア１２の下端との間隔が大きくなったときでも、底面ブラシ３３が敷居溝１７の底部１７ｂに接触し、底部１７ｂに堆積した異物を除去することができる。
【００３７】
上述の実施形態は、本発明の目的を損なわない範囲で適宜設計変更が可能である。例えば、シュー本体自体にその一部が上下方向にスライド可能な構造が設けられていてもよい。また、シュー本体の前面及び後面は、上下方向に沿って形成されていてもよい。
【００３８】
図４は、実施形態の他の一例であるドアシュー４０の斜視図である。ドアシュー４０は、支持板４２を構成する固定プレート４５と可動プレート４６との間にバネ４７が設けられている点で、ドアシュー３０と異なる。バネ４７は、一端が固定プレート４５の上部から可動プレート４６側に張り出した凸状部４８に、他端が可動プレート４６の上部から固定プレート４５と反対側に張り出した凸状部４９にそれぞれ取り付けられている。バネ４７は、可動プレート４６をシュー本体３１側に付勢し、底面ブラシ３３を敷居溝１７の底部１７ｂに押し付ける機能を有する。ドアシュー３０はシュー本体３１の自重によって底面ブラシ３３を底部１７ｂに押し付けるのに対し、ドアシュー４０はバネ４７の付勢力を利用して底面ブラシ３３を底部１７ｂに押し付ける。
【００３９】
図５は、実施形態の他の一例であるドアシュー５０の斜視図である。ドアシュー５０は、前面５１ｂと後面５１ｃの横方向中央部が内側に凹んで湾曲している点で、ドアシュー３０と異なる。前面５１ｂと後面５１ｃは、底面５１ｅに対して鋭角に傾斜すると共に、全体が湾曲している。また、底面５１ｅの縦方向両端部に設けられた底面ブラシ５３は、前面５１ｂと後面５１ｃに沿って湾曲した形状を有する。この場合、前面５１ｂ又は後面５１ｃに当接する小石等の異物が、シュー本体５１の横方向中央部に集まり易くなり、異物を貫通孔１８が形成された位置まで押して運ぶことが容易になる。
【符号の説明】
【００４０】
１０  エレベーター、１１  乗りかご、１２  かごドア、１３  ハンガープレート、１４  ハンガーローラー、１５  ドアレール、１６  敷居、１７  敷居溝、１７ａ  側壁、１７ｂ  底部、１８  貫通孔、２０  開閉装置、２１  モーター、２２  プーリー、２３  アーム、２４  連結バー、２５  ベーン、３０  ドアシュー、３１  シュー本体、３１ａ  側面、３１ｂ  前面、３１ｃ  後面、３１ｄ  天面、３１ｅ  底面、３２  支持板、３３  底面ブラシ、３４  側面ブラシ、３５  固定プレート、３５ａ  貫通孔、３６  可動プレート、３７  支持ピン、３７ａ  軸部、３７ｂ  フランジ部、３８  長孔
【図１】
2018002375.tif 000003
【図２】
2018002375.tif 000004
【図３】
2018002375.tif 000005
【図４】
2018002375.tif 000006
【図５】
2018002375.tif 000007